(57)【要約】【課題】体脂肪測定を所望する部位に照射された近赤外線の吸収比率を利用して、測定部位の体脂肪厚を測定する方法及び装置を提供する。【解決手段】近赤外線を照射する発光素子３００と、外面に反射面が形成されたものであって、発光素子３００から照射された近赤外線を外面で反射する内部反射体３２０と、内部反射体３２０を取り囲むものであって、内面に反射面が形成されて発光素子から照射された近赤外線を内面で反射する外部反射体３１０と、発光素子３００から照射された近赤外線に応答して、測定部位から反射される光を受光する受光部３３０と、受光された光の強度に基づいて測定部位の体脂肪厚を計算する計算部（図示せず）と、を備えることを特徴とする体脂肪厚測定装置である。【選択図】図３
2006110347.tif 000002
【特許請求の範囲】
【請求項１】
被検者の測定部位の体脂肪厚を測定する装置において、
近赤外線を照射する発光素子と、
外面に反射面が形成されたものであって、前記発光素子から照射された近赤外線を前記外面で反射する内部反射体と、
前記内部反射体を取り囲むものであって、内面に反射面が形成されて前記発光素子から照射された近赤外線を前記内面で反射する外部反射体と、
前記発光素子から照射された近赤外線に応答して、前記測定部位から反射される光を受光する受光部と、
前記受光部で受光された光の強度に基づいて前記測定部位の体脂肪厚を計算する計算部と、
を備えることを特徴とする体脂肪厚測定装置。
【請求項２】
前記発光素子から照射された近赤外線を前記測定部位に伝達する導電性ウィンドウをさらに備えることを特徴とする請求項１に記載の体脂肪厚測定装置。
【請求項３】
前記近赤外線は、９３０ｎｍの波長を有することを特徴とする請求項１または請求項２に記載の体脂肪厚測定装置。
【請求項４】
前記反射面は、アルミニウムで形成されたことを特徴とする請求項１から請求項３のいずれか１項に記載の体脂肪厚測定装置。
【請求項５】
前記受光部は、ピンタイプのシリコンディテクターであることを特徴とする請求項１から請求項４のいずれか１項に記載の体脂肪厚測定装置。
【請求項６】
前記計算部は、
前記発光素子から照射された近赤外線の強度と前記受光部で受光された光の強度との比率を計算する比率計算部と、
計算された前記比率と体脂肪厚との関係式に基づいて、前記測定部位の体脂肪厚を計算する厚計算部と、
を備えることを特徴とする請求項１から請求項５のいずれか１項に記載の体脂肪厚測定装置。
【請求項７】
計算された前記比率と体脂肪厚との関係式は、
前記測定部位に照射された近赤外線の強度及び受光された光の強度の比率と、超音波により測定された体脂肪厚との関係式によって決定されることを特徴とする請求項６に記載の体脂肪厚測定装置。
【請求項８】
前記計算部は、
前記発光素子から照射された近赤外線の強度と前記受光部で受光された光の強度との比率を計算する比率計算部と、
所定の相異なる波長を有する二つの近赤外線それぞれに対して、計算された前記比率と体脂肪厚との関係式に基づいて、前記測定部位の体脂肪厚を計算する厚計算部と、
を備えることを特徴とする請求項１から請求項６のいずれか１項に記載の体脂肪厚測定装置。
【請求項９】
被検者の測定部位の体脂肪厚を測定する方法において、
（ａ）あらかじめ体脂肪のサンプルに近赤外線を照射して前記体脂肪のサンプルの近赤外線の吸収比率を測定するとともに、超音波により前記体脂肪のサンプルの厚さを測定することで、近赤外線の吸収比率と体脂肪厚との関係式を生成するステップと、
（ｂ）近赤外線を生成して前記測定部位に照射するステップと、
（ｃ）前記発光素子から照射された近赤外線に応答して、前記測定部位から反射される光を受光部で受光するステップと、
（ｄ）前記発光素子から照射された近赤外線の強度と前記受光部で受光された光の強度との比率を計算するステップと、
（ｅ）計算された前記比率と生成された前記関係式とに基づいて、前記測定部位の体脂肪厚を計算するステップと、
を含むことを特徴とする体脂肪厚測定方法。
【請求項１０】
前記近赤外線は、一つの発光素子により照射されることを特徴とする請求項９に記載の体脂肪厚測定方法。
【請求項１１】
前記近赤外線は、９３０ｎｍの波長を有することを特徴とする請求項９または請求項１０に記載の体脂肪厚測定方法。
【請求項１２】
被検者の測定部位の体脂肪厚を測定する方法において、
（ａ）あらかじめ体脂肪のサンプルに第１所定の波長を有する近赤外線を照射して、前記体脂肪のサンプルの近赤外線の吸収比率を測定するステップと、
（ｂ）前記体脂肪のサンプルに第２所定の波長を有する近赤外線を照射して、前記体脂肪のサンプルの近赤外線の吸収比率を測定するステップと、
（ｃ）超音波により前記体脂肪のサンプルの厚さを測定するステップと、
（ｄ）測定された二つの前記吸収比率と測定された前記体脂肪のサンプルの厚さとに基づいて、前記第１所定の波長の近赤外線及び前記第２所定の波長の近赤外線の吸収比率と体脂肪厚との関係式を生成するステップと、
（ｅ）前記第１所定の波長を有する近赤外線を前記測定部位に照射した後、前記測定部位から反射される光を受光して、前記照射された近赤外線の強度と受光された光の強度との比率を計算するステップと、
（ｆ）前記第２所定の波長を有する近赤外線を前記測定部位に照射した後、前記測定部位から反射される光を受光して、前記照射された近赤外線の強度と受光された光の強度との比率を計算するステップと、
（ｇ）計算された二つの前記比率と生成された前記関係式とに基づいて、前記測定部位の体脂肪厚を計算するステップと、
を含むことを特徴とする体脂肪厚測定方法。
【請求項１３】
前記第１所定の波長は、９３０ｎｍであり、前記第２所定の波長は、１０４０ｎｍであることを特徴とする請求項１２に記載の体脂肪厚測定方法。
【請求項１４】
前記近赤外線は、一つの発光素子により照射されることを特徴とする請求項１２または請求項１３に記載の体脂肪厚測定方法。
【請求項１５】
請求項９に記載の体脂肪厚測定方法をコンピュータで実行させるためのプログラムを記録したコンピュータで読み取り可能な記録媒体。
【請求項１６】
請求項１２に記載の体脂肪厚測定方法をコンピュータで実行させるためのプログラムを記録したコンピュータで読み取り可能な記録媒体。
【発明の詳細な説明】
【技術分野】
【０００１】
本発明は、体脂肪厚の測定装置及び方法に係り、特に体脂肪厚の測定を所望する人体部位に光（近赤外線）を照射して、人体部位別の体脂肪厚を測定する装置及び方法に関する。
【背景技術】
【０００２】
身体を構成する主要成分は、水分、たんぱく質、体脂肪、無機質の四つの成分から構成されている。それら成分が体重で占める比率は、性別及び個人によって異なるが、ほぼ５５：２０：２０：５である。それら四つの体成分は、体水分量から分かる。なぜなら、たんぱく質及び体水分は、筋肉を形成する主成分であって、相互比例的な関係を有しているからである。すなわち、健康的な筋肉は、約７３％が水分となっており、残りの２７％がたんぱく質である。無機質の重さは、そのほとんどが骨を形成する重さであり、骨の重さは、再び筋肉量と密接な関係を有している。すなわち、体水分量からたんぱく質量と無機質量とを求め、体重から体水分量、たんぱく質量及び無機質量を引いて体脂肪量を求める。現在、体脂肪測定で最も多く使われる方法は、生体電気インピーダンス法（Ｂｉｏｅｌｅｃｔｒｉｃａｌ Ｉｍｐｅｄａｎｃｅ Ａｎａｌｙｓｉｓ：ＢＩＡ）であり、その他にも、基準方法である水中体密度法がある。
【０００３】
ＢＩＡは、体水分量と身体の電気抵抗とが反比例関係にある点に着眼して体脂肪率を測定する方法である。ＢＩＡは、測定が単純かつ速く、非侵襲的であるという長所がある。人体に弱い交流電流の電気信号を送るとき、電気は、導電性の高い体水分に沿って流れる。水分の量によって電気が流れる通路のサイズが決定されるが、これによる測定値が生体インピーダンスである。生体インピーダンスから体成分を算出する原理は、まず人体に５０ｋＨｚの周波数帯域で約１ｍＡの微細な交流電流を流す。電流が人体に流れるとき、人体抵抗を測定し、それを利用して体水分量を求める。体水分量からたんぱく質量と無機質量とを求め、たんぱく質量、無機質量及び体重を利用して体脂肪率を求める。
【０００４】
図１は、従来の近赤外線を利用した体脂肪率の測定装置を示す斜視図であって、図示した測定装置は、人体に近赤外線を照射して人体の体脂肪率を測定する装置である。体脂肪率の測定の正確度を高めるためには、前記測定装置が測定部位に照射する近赤外線の量が照射されるあらゆる部位に対して均一でなければならず、かつ測定する際に測定部位に照射される近赤外線が一定でなければならない。そのため、図１に示した測定装置は、四つの発光素子１００、１１０、１２０、１３０を利用して人体の測定部位に近赤外線を照射するが、近赤外線の照射の均一性をさらに高めるためには、前記発光素子の個数または測定装置の長さをさらに増加させねばならない。
【０００５】
図２は、従来の近赤外線を利用した体脂肪率の測定装置の測定位置の設定方法を説明するための測定装置の斜視図である。かかる測定装置は、測定する際に照射される近赤外線が反復性を有するために、測定時に前記測定装置２００に表示された二つの表示２１０、２２０の方向が一致するように合わせねばならない。
【０００６】
前記したように、従来の測定装置及び方法を利用して体脂肪を測定する場合、測定部位に照射される近赤外線の量が均一であるためには、発光素子の個数を増加させるか、または測定装置を長くしなければならないので、測定装置の生産コストが増加し、装置のサイズを小型化できないという問題があった。また、従来の測定装置及び方法では、体脂肪率を測定する度に測定位置を設定しなければならない不便さがあったり、人体の全体の体脂肪率を測定できるだけであったり、また、人体部位別の体脂肪量（厚）を測定できないという問題があった。
【発明の開示】
【発明が解決しようとする課題】
【０００７】
本発明が解決しようとする課題は、体脂肪の測定において、前記のような問題点を解決するためのものであって、一つの発光素子から照射された近赤外線を利用して測定部位の体脂肪厚を測定する装置及び方法を提供することにある。
【課題を解決するための手段】
【０００８】
前記の課題を解決するための本発明による体脂肪厚測定装置は、近赤外線を照射する発光素子と、外面に反射面が形成されたものであって、前記発光素子から照射された近赤外線を前記外面で反射する内部反射体と、前記内部反射体を取り囲むものであって、内面に反射面が形成されて前記発光素子から照射された近赤外線を前記内面で反射する外部反射体と、前記発光素子から照射された近赤外線に応答して、前記測定部位から反射される光を受光する受光部と、前記受光部で受光された光の強度に基づいて前記測定部位の体脂肪厚を計算する計算部と、を備えることを特徴とする。
前記体脂肪厚測定装置は、前記発光素子から照射された近赤外線を前記測定部位に伝達する導電性ウィンドウをさらに備えることが望ましい。
望ましくは、前記近赤外線は、９３０ｎｍの波長を有し、前記反射面は、アルミニウムで形成されたことが望ましい。
前記受光部は、ピンタイプのシリコンディテクターであることが望ましく、前記計算部は、前記発光素子から照射された近赤外線の強度と前記受光部で受信された光の強度との比率を計算する比率計算部と、計算された前記比率と体脂肪厚との関係式に基づいて、前記測定部位の体脂肪厚を計算する厚計算部と、を備えることが望ましい。
望ましくは、計算された前記比率と体脂肪厚との関係式は、前記測定部位に照射された近赤外線の強度及び受光された光の強度の比率と、超音波により測定された体脂肪厚との関係式によって決定される。
前記計算部は、前記照射された近赤外線の強度と前記受光部で受光された光の強度との比率を計算する比率計算部と、所定の相異なる波長を有する二つの近赤外線それぞれに対して、計算された前記比率と体脂肪厚との関係式に基づいて、前記測定部位の体脂肪厚を計算する厚計算部と、を備えることが望ましい。
【０００９】
前記の課題を解決するための本発明による体脂肪厚測定方法は、（ａ）あらかじめ体脂肪のサンプルに近赤外線を照射して前記体脂肪のサンプルの近赤外線の吸収比率を測定するとともに、超音波により前記体脂肪のサンプルの厚さを測定することで、近赤外線の吸収比率と体脂肪厚との関係式を生成するステップと、（ｂ）近赤外線を生成して前記測定部位に照射するステップと、（ｃ）前記発光素子から照射された近赤外線に応答して、前記測定部位から反射される光を受光部で受光するステップと、（ｄ）前記発光素子か照射された近赤外線の強度と前記受光部で受光された光の強度との比率を計算するステップと、（ｅ）計算された前記比率と生成された前記関係式とに基づいて、前記測定部位の体脂肪厚を計算するステップと、を含むことを特徴とする。
望ましくは、前記近赤外線は、一つの発光素子により照射され、前記近赤外線は、９３０ｎｍの波長を有することが望ましい。
【００１０】
前記の課題を解決するための本発明による体脂肪測定方法は、（ａ）あらかじめ所定の体脂肪のサンプルに第１所定の波長を有する近赤外線を照射して、前記体脂肪のサンプルの近赤外線の吸収比率を測定するステップと、（ｂ）前記体脂肪のサンプルに第２所定の波長を有する近赤外線を照射して、前記体脂肪のサンプルの近赤外線の吸収比率を測定するステップと、（ｃ）超音波により前記体脂肪のサンプルの厚さを測定するステップと、（ｄ）測定された二つの前記吸収比率と測定された前記体脂肪のサンプルの厚さとに基づいて、前記第１所定の波長の近赤外線及び前記第２所定の波長の近赤外線の吸収比率と体脂肪厚との関係式を生成するステップと、（ｅ）前記第１所定の波長を有する近赤外線を前記測定部位に照射した後、前記測定部位から反射される光を受光して、前記照射された近赤外線の強度と受光された光の強度との比率を計算するステップと、（ｆ）前記第２所定の波長を有する近赤外線を前記測定部位に照射した後、前記測定部位から反射される光を受光して、前記照射された近赤外線の強度と受光された光の強度との比率を計算するステップと、（ｇ）計算された二つの前記比率と生成された前記関係式とに基づいて、前記測定部位の体脂肪厚を計算するステップと、を含むことが望ましい。
望ましくは、前記第１所定の波長は、９３０ｎｍであり、前記第２所定の波長は、１０４０ｎｍであり、前記近赤外線は、一つの発光素子により照射されることが望ましい。
【００１１】
前記体脂肪厚測定方法は、望ましくは、コンピュータで実行させるためのプログラムを記録したコンピュータで読み取り可能な記録媒体で具現できる。
【発明の効果】
【００１２】
本発明による近赤外線を利用した体脂肪厚測定装置によれば、一つの発光素子を利用して測定部位に均一に近赤外線を照射可能にすることによって、測定装置の生産コスト及びサイズを減らし、人体の部位別の体脂肪厚を測定することができる。これにより、ユーザーが人体のあらゆる部位別に健康及び肥満管理を行うことができる。
【００１３】
本発明による近赤外線を利用した体脂肪厚測定方法によれば、一つの発光素子を利用して測定部位に均一に近赤外線を照射可能にすることによって、測定装置の生産コスト及びサイズを減らし、人体の部位別の体脂肪厚を測定することができる。
【発明を実施するための最良の形態】
【００１４】
以下、添付された図面を参照しつつ、本発明に係る体脂肪厚測定装置及び体脂肪厚測定方法について詳細に説明する。
【００１５】
図３は、本発明による近赤外線を利用した体脂肪厚測定装置の構成を示す断面図であって、図示した体脂肪厚測定装置は、発光素子３００、外部反射体３１０、内部反射体３２０、受光部３３０、信号伝達部３４０、３５０、導電性ウィンドウ３６０、遮蔽部３７０及び計算部（図示せず）を備える。
【００１６】
発光素子３００は、近赤外線を生成して体脂肪の厚さを測定する部位（測定部位）に照射する。この発光素子３００で照射する近赤外線は、９３０ｎｍまたは１０４０ｎｍの波長を有することが望ましい。
【００１７】
外部反射体３１０は、その内面に反射面が形成されている。発光素子３００から照射される近赤外線は、その内面で反射した後、測定部位に照射することとなる。この外部反射体３１０は、その内面をアルミニウムでコーティングされたプラスチックで形成されることが望ましい。
【００１８】
内部反射体３２０は、その外面に反射面が形成されている。発光素子３００で照射された近赤外線は、その外面で反射した後、測定部位に照射することとなる。この内部反射体３２０は、その外面をアルミニウムでコーティングされたプラスチックで形成されることが望ましい。
【００１９】
発光素子３００から照射される近赤外線は、外部反射体３１０の内面と内部反射体３２０の外面とから反射されるとともに、外部反射体３１０と内部反射体３２０との間の空間を通ることによって測定部位に均一に照射することができる。
【００２０】
受光部３３０は、測定部位に照射された近赤外線のうち、測定部位に吸収されずに反射される近赤外線を受光し、光の強度に基づく光信号とする。受光部３３０で受光された近赤外線の量と、発光素子３００により照射された近赤外線の量との比率を計算すれば、測定部位の近赤外線の吸収比率を求めることができる。この受光部３３０は、ピンタイプのシリコンディテクターであることが望ましい。
【００２１】
信号伝達部３４０、３５０は、受光部３３０が受光した光信号（光の強度）を計算部（図示せず）に伝達する。信号伝達部３４０、３５０は、その外部がアルミニウムでコーティングされた細い金属棒であることが望ましい。
【００２２】
導電性ウィンドウ３６０は、発光素子３００で照射された近赤外線が人体の測定部位によく伝達できるようにするためのものであり、遮蔽部３７０は、発光素子３００から照射される近赤外線以外の光が測定部位に照射されないように、外部からの光を遮断するものである。
【００２３】
計算部（図示せず）は、信号伝達部３４０、３５０を通じて伝達された受光部３３０が受光した光信号（光の強度）を入力し、その光の強度を利用して測定部位の体脂肪厚を計算する。計算部（図示せず）は、発光素子３００が測定部位に照射した近赤外線の強度と受光された光の強度との比率を計算し、計算された比率と体脂肪厚との関係を示す数式に基づいて計算を行い、測定部位の体脂肪の厚さを計算することが望ましい。このような数式としては、次式（１）に基づくのが望ましい。
【００２４】
【数１】
2006110347.tif 000003
【００２５】
前記式（１）において、Ｅrは、発光素子３００から測定部位に照射される近赤外線の強度であり、Ｅsは、受光部３３０が受光した測定部位から反射される光の強度であり、Ｋ0及びＫ1は、定数である。
【００２６】
図４は、図３に示した体脂肪厚測定装置の横断面図である。図４に示すように、体脂肪厚測定装置は、円筒状を有することが望ましい。図示した体脂肪厚測定装置は、円筒状の最外郭から遮蔽部３７０、外部反射体３１０、内部反射体３２０、受光部３３０を備えており、外部反射体３１０と内部反射体３２０との間に近赤外線が照射される経路を有している。
【００２７】
図５は、測定部位に照射される近赤外線の波長と吸収比率との関係を示すグラフであって、体脂肪厚がそれぞれ１０ｍｍ（５００）、７ｍｍ（５１０）、５ｍｍ（５２０）、２ｍｍ（５３０）である場合のグラフを示す。図示したグラフによれば、照射された近赤外線の周波数が９３０ｎｍ、１０４０ｎｍであるとき、体脂肪厚が増加するほど測定部位に対する近赤外線の吸収比率が増加することが分かる。したがって、９３０ｎｍまたは１０４０ｎｍの波長を有する近赤外線を測定部位に照射した後、測定部位から反射される光を受光して、測定部位の近赤外線の吸収比率を計算する。そして、吸収比率と体脂肪厚との比例関係を示す前記した式（１）に基づいて計算を行うことで、測定部位の体脂肪厚を求めることができる。
【００２８】
図６は、本発明に係る近赤外線を利用した体脂肪厚測定方法を示すフローチャートである。発光素子３００は、体脂肪厚を測定しようとする人体部位に近赤外線を照射する（ステップ６００）。ここで、図５に示すように、測定部位に照射される近赤外線の波長が９３０ｎｍまたは１０４０ｎｍであるとき、体脂肪厚による近赤外線の吸収比率が比例関係を有するので、測定部位に照射される近赤外線の波長は、９３０ｎｍまたは１０４０ｎｍであることが望ましい。
【００２９】
受光部３３０は、近赤外線が照射された測定部位から反射される光を受光する（ステップ６１０）。計算部は、受光部３３０から受光された光の強度（光信号）が入力された後、受光された光の強度を計算し、測定部位に照射された近赤外線の強度と受光された光の強度との比率を計算する（ステップ６２０）。計算部は、計算された測定部位の近赤外線の吸収比率に基づいて（関係式に代入して）、測定部位の体脂肪厚を計算する（ステップ６３０）。
【００３０】
図７は、近赤外線の吸収比率と体脂肪厚との関係を示す数式を算出する方法を示すフローチャートである。まず、ｎ個の異なる厚さを有する体脂肪のサンプルを準備する。準備した体脂肪のサンプルのうち、最初の体脂肪のサンプルに９３０ｎｍの波長を有する近赤外線を照射する（ステップ７００、７１０）。次いで、近赤外線が照射された体脂肪のサンプルから反射される光の強度を測定し（ステップ７２０）、体脂肪のサンプルに照射された近赤外線の強度と反射される光の強度との比率を計算して、体脂肪のサンプルの近赤外線の吸収比率を計算する（ステップ７３０）。
【００３１】
また、超音波を利用して体脂肪のサンプルの厚さを測定する（ステップ７４０）。次いで、すべての体脂肪のサンプルに対して前記したステップが行われたことを確認した後（ステップ７５０で「はい」）、すべての体脂肪のサンプルに対して近赤外線の吸収比率と厚さとが測定されるまで、前記したステップ７１０からステップ７４０までを反復する（ステップ７５０で「いいえ」→ステップ７６０）。
【００３２】
体脂肪のサンプルに対して測定されたｎ個の近赤外線の吸収比率と体脂肪厚との対を利用して、近赤外線の吸収比率と体脂肪厚との回帰式を算出する（ステップ７７０）。
【００３３】
さらに正確な近赤外線の吸収比率と体脂肪厚との数式を算出するためには、異なる波長を有する二つの近赤外線を用いて、前記したステップ７００からステップ７６０までを反復し、次式（２）のような回帰式を算出することが望ましい。
【００３４】
【数２】
2006110347.tif 000004
【００３５】
前記式（２）で、Ｅr1は、発光素子３００から測定部位に照射される第１所定の波長を有する近赤外線の強度であり、Ｅs1は、第１所定の波長の近赤外線に対して測定部位から反射される光の強度である。また、Ｅr2は、発光素子３００から測定部位に照射される第２所定の波長を有する近赤外線の強度であり、Ｅs2は、第２所定の波長の近赤外線に対して測定部位から反射される光の強度であり、Ｋ0、Ｋ1、Ｋ2は定数である。第１の波長は、９３０ｎｍであり、第２所定の波長は、１０４０ｎｍであることが望ましい。
【００３６】
前記式（２）に基づいて体脂肪厚を測定する場合には、まず、測定しようとする部位に第１所定の波長を有する近赤外線を照射して、測定部位の近赤外線の吸収比率を計算する。次いで、測定部位に第２所定の波長を有する近赤外線を照射して、測定部位の近赤外線の吸収比率を計算した後、計算された二つの吸収比率を数式に代入することによって測定部位の体脂肪厚を測定（算出）することができる。
【００３７】
本発明は、また、コンピュータで読み取り可能な記録媒体にコンピュータが読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＣＤ−ＲＯＭ、磁気テープ、フレキシブルディスク、光データ保存装置などがあり、またキャリアウェーブ（例えば、インターネットを通じた伝送）の形態で具現されるものも含む。また、コンピュータで読み取り可能な記録媒体は、ネットワークで連結されたコンピュータシステムに分散され、分散方式でコンピュータで読み取り可能なコードが保存されて実行することも可能である。なお、本発明を具現するための機能的なプログラム、コード及びコードセグメントは、本発明が属する技術分野のプログラマにより容易に推論され得るものである。
【００３８】
以上、本発明の望ましい実施形態について詳細に記述したが、当業者であれば、特許請求の範囲に定義された本発明の精神及び範囲を逸脱しない範囲で本発明を多様に変形または変更して実施可能であるということが分かる。したがって、そのような本発明の実施形態の変更は、本発明の精神及び範囲を逸脱するものではない。
【産業上の利用可能性】
【００３９】
本発明は、体脂肪測定装置に関連の技術分野に適用可能である。
【図面の簡単な説明】
【００４０】
【図１】従来の近赤外線を利用した体脂肪率の測定装置を示す斜視図である。
【図２】従来の近赤外線を利用した体脂肪率の測定装置の測定位置の設定方法を説明するための測定装置の斜視図である。
【図３】本発明による近赤外線を利用した体脂肪厚測定装置の構成を示す第１断面図である。
【図４】本発明による近赤外線を利用した体脂肪厚測定装置の構成を示す第２断面図である。
【図５】測定部位に照射される近赤外線の波長と吸収比率との関係を示すグラフである。
【図６】本発明による近赤外線を利用した体脂肪厚測定方法を示すフローチャートである。
【図７】近赤外線の吸収比率と体脂肪厚との関係を示す回帰式を算出する方法を示すフローチャートである。
【符号の説明】
【００４１】
３００  発光素子
３１０  外部反射体
３２０  内部反射体
３３０  受光部
３４０，３５０  信号伝達部
３６０  導電性ウィンドウ
３７０  遮蔽部
【図１】
2006110347.tif 000005
【図２】
2006110347.tif 000006
【図３】
2006110347.tif 000007
【図４】
2006110347.tif 000008
【図５】
2006110347.tif 000009
【図６】
2006110347.tif 000010
【図７】
2006110347.tif 000011